(57)【特許請求の範囲】
【請求項１】
液保持性の吸収層を具備し、その表面側に少なくとも中央部分が液透過性の表面シートを有している吸収性物品において、
上記吸収性物品の上記表面側の周縁部は、上記表面シートがその周縁全体に亘って該表面側に向けて凸状に湾曲されて形成された凸状形状を有しており、該凸状形状と該吸収層との間に空間が存在するようになされていることを特徴とする吸収性物品。
【請求項２】
上記周縁部の内方に位置する上記吸収性物品の中央部は表面側に凹状形状を形成していることを特徴とする請求項１記載の吸収性物品。
【請求項３】
上記吸収層の裏面側に液不透過性の防漏層を具備することを特徴とする請求項１記載の吸収性物品。
【請求項４】
上記凸状形状は、周縁部に配された伸縮性シートにより形成されていることを特徴とする請求項１記載の吸収性物品。
【請求項５】
上記表面シートは、周縁部の内側において吸収層と固定され、且つ周縁部の外側において吸収層または防漏層と固定されていることを特徴とする請求項３記載の吸収性物品。
【請求項６】
上記表面シートは更に中央部においても吸収層に部分的に固定されていることを特徴とする請求項４記載の吸収性物品。
【請求項７】
上記凸状形状が曲面状であることを特徴とする請求項１記載の吸収性物品。
【請求項８】
液透過性の表面層、液不透過性の防漏層及び該表面層と該防漏層との間に介在された液保持性の吸収層を具備し、実質的に縦長に形成されてなる吸収性物品において、
吸収性物品の周縁部に、伸縮性シートが配されて、該周縁部全体に亘って該周縁部の断面形状が凸状形状になるようになされており、
上記周縁部において、上記伸縮性シートと上記表面層との間に空間が存在するようになされていることを特徴とする吸収性物品。
【発明の詳細な説明】
【０００１】
【発明の属する技術分野】
本発明は、フィット性に優れ、漏れ防止効果が高い、生理用ナプキン等の吸収性物品に関する。
【０００２】
【従来の技術及び発明の解決しようとする課題】
従来より、生理用ナプキン等の吸収性物品としては、液透過性の表面層、液不透過性の防漏層及び該表面層と該防漏層との間に介在された液保持性の吸収層を具備し、実質的に縦長に形成されてなるものが広く用いられている。
このような吸収性物品において、通常、上記表面層は、液透過性の表面シ−トからなっている。そして、最近では、フィット性を向上させ、漏れ防止性を向上させるべく、吸収体の周縁部に弾性部材を配して、吸収性物品全体をカップ状に湾曲させることも提案されている（特開平６−６３０７５号公報）。
しかし、上記提案にかかる吸収性物品は、単に吸収性物品全体が湾曲し全体の形状がカップ状になるだけであるため、未だ要求されている程度にフィット性が向上されていなかった。
【０００３】
従って、本発明の目的は、よりフィット性に優れ、液漏れ防止性に優れた生理用ナプキンなどの吸収性物品を提供することにある。
【０００４】
【課題を解決するための手段】
本発明者らは、上記課題を解消すべく鋭意検討した結果、吸収性物品の周縁部に沿って内部に空間が存在する凸状形状が形成されてなる吸収性物品が、上記目的を達成しうることを知見した。
【０００５】
本発明は、上記知見に基づいてなされたもので、液保持性の吸収層を具備し、その表面側に少なくとも中央部分が液透過性の表面シートを有している吸収性物品において、上記吸収性物品の上記表面側の周縁部は、上記表面シートがその周縁全体に亘って該表面側に向けて凸状に湾曲されて形成された凸状形状を有しており、該凸状形状と該吸収層との間に空間が存在するようになされている吸収性物品（以下、この発明を「第１発明」という）を提供するものである。
【０００６】
本発明は、上記知見に基づいてなされたもので、液透過性の表面層、液不透過性の防漏層及び該表面層と該防漏層との間に介在された液保持性の吸収層を具備し、実質的に縦長に形成されてなる吸収性物品において、吸収性物品の周縁部に、伸縮性シートが配されて、該周縁部全体に亘って該周縁部の断面形状が凸状形状になるようになされており、上記周縁部において、上記伸縮性シートと上記表面層との間に空間が存在するようになされていることを特徴とする吸収性物品（以下、この発明を「第２発明」という）を提供するものである。
【０００７】
【発明の実施の形態】
以下、本発明の吸収性物品について図面を参照して更に詳細に説明する。
先ず第１発明について説明する。
ここで、図１は、本発明の吸収性物品の一形態としての生理用ナプキンを示す斜視図であり、図２は、図１のII-II 切断図である。
【０００８】
本形態の生理用ナプキン１は、液保持性の吸収層４を具備し、その表面側に少なくとも中央部分が液透過性の表面シート２を有している。
【０００９】
そして、図１に示すように、本形態の生理用ナプキン１は、吸収層４が、吸収体４１により形成されている。また、生理用ナプキン１は、上記吸収層４の裏面側には、液不透過性の防漏層３を具備し、該防漏層３は、液体不透過性の防漏シート３１により形成されている。
【００１０】
上記吸収体４１及び上記防漏シート３１の形成材料としては、それぞれ、通常、生理用ナプキン等の吸収性物品において用いられるものを特に制限なく用いることができる。
【００１１】
而して、上記生理用ナプキン１の上記表面側の周縁部５は、上記表面シート２がその周縁全体に亘って該表面側に向けて凸状に湾曲されて形成された凸状形状５１を有しており、該凸状形状５１と該吸収層４との間に空間が存在するようになされている。
【００１２】
更に詳述すると、図１及び２に示すように、上記表面シート２は、液透過性の液体透過性シート２１と該液体通過性シート２１の表面側に配された上記凸状形状形成用の伸縮性シート２２とからなる。そして、上記周縁部５における上記凸状形状５１は、該液体透過性シート２１上に該伸縮性シート２２を配して形成されている。即ち、上記凸状形状５１は、周縁部５に配された伸縮性シートにより形成されている。また、ナプキンの中央部６においては、上記伸縮性シート２２は配されておらず液体透過性シート２１が露出されている。そして、上記周縁部５の内方に位置する上記生理用ナプキンの中央部６は表面側に凹状形状を形成している。
【００１３】
また、上記表面シート２は、更に中央部６においても吸収層４に部分的に固定されている。この際の固定は、ドット状の接着剤を介してなされている。
また、上記伸縮性シート２２は、図１及び２に示すように、その幅方向両側縁部２２ａ，２２ｂのみがヒートシールされて固定されている。即ち、上記伸縮性シート２２は、上記液体透過性シート２１の表面側において該伸縮性シート２２の幅方向左右両側縁部２２ａ，２２ｂが該液体透過性シート２１にヒートシールされて固定されている。また、該伸縮性シート２２の内方側の側縁部２２ｂにおいては、溝７が形成されており、該伸縮性シート２２と該液体透過性シート２１と吸収体４１とが一体になされている。
即ち、上記表面シート２は、周縁部５の内側（内側縁２２ｂ）において吸収層４と固定され、且つ周縁部５の外側（外側縁２２ａ）において防漏層３と固定されている。尚、上記表面シート２は、周縁部５の外側縁２２ａにおいても上記吸収層４と固定することもできる。
【００１４】
尚、伸縮性シート２２の固定は、本実施形態におけるように、その側縁部を全長に亘って接着しても良いが、部分的に接着して固定しても良い。また、両側縁部よりも内方よりの位置において接着して固定しても良い。尚、固定方法としては、ヒートシールに限らず、超音波シール、接着剤、エンボス加工などによて固定してもよい。
【００１５】
また、上記周縁部５の幅Ｗは、５〜５０ｍｍとするのが好ましい。
また、上記空間８は、上記伸縮性シート２２により、上記液体透過性シート２１が吸収体４１より上方に引き上げられることにより形成されている。また、上記凸状形状５１は曲面状である。また、該空間８の高さ（吸収体４１から液体透過性シート２１までの高さの最大高さ）ｔは、５〜３０ｍｍとするのが好ましい。
【００１６】
上記液体透過性シート２１の形成材料としては、通常、生理用ナプキンなどの吸収性物品に用いられる開孔シート等を特に制限なく用いることができる。
【００１７】
また、上記伸縮性シート２２の形成材料としては、下記するものなどを挙げることができる。
ポリスチレン、ポリイソプレン又はポリブタジエンのブロック共重合体、エチレンの共重合体、天然ゴム、ウレタン、及び、これらの混合／コエクストルージョン等の単一層の織布、不織弾性材料又は伸縮性材料により形成されたもの、又は伸縮性材料のフィルム、あるいは伸縮性材料の複合体を用いることができ、更には、全ての方向に弾性があり、通気性があり、上記液透過性であるようなストレッチボンディングされた積層材を用いることもできる。
尚、本形態の如く、伸縮性シート２２を液透過性シート２１の肌当接面側に固定する場合には、肌触りの観点から、伸縮性材料からなるフィルムよりも、例えばブタジエン、イソプレン、スチレン、アクリル酸エチル−エチレン、若しくはそれらの混合物のブロック又はグラフト共重合体、熱可塑性ポリウレタン等の不織布材料が好ましく用いられる。
【００１８】
また、伸縮性材料としてメルトブロー不織布を用いることもでき、該メルトブロー不織布は、その伸縮強度を増したり、表面シート／吸収層／防漏層とのヒートシール性を向上するために、他のポリエチレン／ポリエステル、ポリエチレン／ポリプロピレン、ポリプロピレンからなる熱可塑性不織布と積層し、積層材として用いても良い。
伸縮性フィルムもまた、表面の肌触りの改善及びヒートシール性の向上するために、上記熱可塑性不織布材料と積層し、積層材として用いても良い。
上記積層材は、伸縮性の材料、たとえば、ブタジエン、イソプレン、スチレン、アクリル酸エチル−エチレン若しくはその混合物等のブロック又はグラフト共重合体のメルトブロー不織布又はフィルムが望ましく、又、ウレタンのスパンボンディングされた不織布でもよいが、弾性又は伸縮性層をある伸びまで伸張させ、伸張された弾性層上に、伸張されていない層を置き、これらの層を合わせてボンディングし、弾性層がその他の層をギャザリングするように層を弛緩させることによって作られるものが好ましい。
【００１９】
上記伸縮性シート２２の伸縮物性及び伸縮率としては、上記凸状形態５１の高さｔが上述の高さの範囲内となるような物性であれば特に制限されない。また、固定箇所についても同様に選定するのが好ましい。
また、上記伸縮性シート２２として液体透過性の部材を用いた場合には上記周縁部５をも中央部とすることができる。
【００２０】
上記生理用ナプキン１は、通常の生理用ナプキンと同様にして使用することができる。
そして、本形態の生理用ナプキン１は、上記空間８が形成されるようになされているので、該空間８の作用により装着時に生理用ナプキンの周縁部５が装着者の装着部位の凹凸にも柔軟に追従するようになされている。また、上記伸縮性シート２２が配されていることにより、ナプキン全体がカップ状（周縁部が上方に位置し中央部が下方に位置するような形状）に湾曲されており、略装着時の生理用ナプキンの形状と同様の形状となされている。このため、本形態の生理用ナプキン１は、フィット性に優れ、且つ漏れ防止性にも優れたものとなっている。
【００２１】
更に詳述すると、上記凸状形状５１は、いわゆる防漏壁として作用して、吸収性物品の周縁部からの液モレを防止する。更に、上記凸状形状は、空間８を有しているため、装着者の装着部位の形状や、装着者の動きにより、凹凸が生じても、該凹凸と接する部分のみが、この凹凸に応じた形状となるだけで、凸状形状５１における他の部位や吸収性物品全体の形状には影響を与えないので、従来の生理用ナプキン等の吸収性物品ではフィット性が悪く、液モレを起こすような状況でも良好なフィット性を有し、液モレ防止性にも優れる。
また、上記凸状形状５１が曲面状である場合には、肌への装着性がよく、体の動きに特に追従しやすく、フィット性が向上する。
【００２２】
本形態の生理用ナプキンの製造法について図面を参照して説明する。
ここで、図３は、本形態の生理用ナプキンの製造法の概要を示す概略図であり、図４は、そのIV-IV 断面図である。
図３及び４に示すように、本形態の生理用ナプキン１は、防漏シートの連続体３１’上に所定形状となされた吸収体４１を載置し、更に、該吸収体４１上に液体透過性シートの連続体２１’を載置し、更に該液体透過性シートの連続体２１’上に伸縮性シートの連続体２２’を載置して、各部材の連続体の積層体１’を形成する積層工程と、該積層体１’の所定位置をヒートシールすると同時に切断して、個々の生理用ナプキン１を得るナプキン形成工程とを行うことにより製造することができる。
尚、特に詳述しない点、例えば、吸収体の形成工程などは通常公知の形成工程と同様に行うことができる。
【００２３】
上記積層工程は、上述の如く、防漏シートの連続体３１’上に各部材を載置することにより行うが、上記の伸縮性シートの連続体２２’は、その中央部分に所定形状の開口６’（上記中央部６に対応した開口）が設けられている。
また、上記ナプキン形成工程においては、上記吸収体４１の外周縁側において防漏シート３１と液体透過性シート２１と伸縮性シート２２とをヒートシールして一体化すると同時にカットする。また、上記伸縮性シート２２の内周縁２２ｂにおいては、ヒートシールすることにより、該伸縮性シート２２と液体透過性シート２１と吸収体４１とを一体化すると同時に、溝７を形成する。尚、ヒートシールの条件は用いる各部材の材料などに応じて任意である。
このように、伸縮性シートを含む表面シートを配することにより、本発明の吸収性物品を製造することにより、一工程のみで凸状形状と、ナプキン全体のカップ状の形状とを一度に形成することができる。
【００２４】
尚、本発明の吸収性物品は上述した形態に制限されるものではなく、本発明の趣旨を逸脱しない範囲で種々変更が可能である。
例えば、図５に示すように、ナプキン全体の形状を楕円形状とすることもできる。
また、本形態においては生理用ナプキンのみを例示して説明したが、本発明は他の吸収性物品、例えば失禁パッド、母乳パッドなどに適用することもできる。
【００２５】
更に、上記表面シートの形態も図６〜９に示す如き形態とすることができる。
即ち、図６に示すように、表面シート２を、吸収性物品の表面側全面を覆う液透過性シート２１と該液透過性シート２１の裏面側（吸収層側）全面に設けられた液透過性の伸縮性シート２２とにより構成する形態とすることができる。
また、図７に示すように、表面シート２を、吸収性物品の表面側全面を覆う液透過性の伸縮性シート２２により構成する形態とすることができる。
【００２６】
また、本形態においては、図７に示すように、伸縮性シート２２からなる表面シート２を中央部６においても、部分的に吸収層に固着している。このように、本発明においては、中央部において表面シートと吸収層とを部分的に固着してもよい。このように部分的に固着した場合には、表面シートから吸収層への液移行性が良好になり、保型性に優れ、更には中央部の強度が向上する。
【００２７】
また、図８に示すように、表面シート２を、吸収性物品の中央部６全面を覆う液透過性シート２１と該液透過性シート２１の周縁に接合されて上記周縁部５を覆うようになされた伸縮性シート２２とにより構成する形態とすることができる。また、図９に示すように、表面シート２を、吸収性物品の表面側全面を覆う液透過性シート２１と該液透過性シート２１の裏面側（吸収層側）において上記周縁部５に相当する位置に設けられた伸縮性シート２２とにより構成する形態とすることができる。
【００２８】
次いで、図１０を参照して第２発明について説明する。
尚、特に詳述しない点については、上述した第１発明と同様であり、上述した説明が適宜適用される。
図１０に示す第２発明の吸収性物品の１形態である生理用ナプキン１００は、液透過性の表面層１０１、液不透過性の防漏層１０２及び該表面層１０１と該防漏層１０２との間に介在された液保持性の吸収層１０３を具備し、実質的に縦長に形成されてなる。
【００２９】
ここで、上記表面層１０１、上記防漏層１０２及び上記吸収層１０３は、一体化されている。更に詳細には、上記吸収層１０３は、通常の吸収性物品において用いられる吸収体と同様の材料からなっており、上記表面層１０１は、通常の吸収紙１０１’からなっており、該吸収紙１０１’は、該吸収層１０３の表面及び裏面全面を覆うように配されている。また、上記防漏層１０２は、上記吸収層１０３の裏面側において上記吸収層１０２と上記吸収紙１０１’との間に配されている。
【００３０】
而して、本形態の生理用ナプキン１００においては、周縁部１０５に、シート状の伸縮性シート１０４が配されて、該周縁部１０５全体に亘って該周縁部１０５の断面形状が凸状形状になるようになされており、上記周縁部１０５において、上記伸縮性シート１０４と上記表面層１０１’との間に空間１０８が存在するようになされている。
【００３１】
即ち、本形態においては、上記表面層１０１を形成する部材とは異なる別体の伸縮性シート１０４が、その外周縁１０４ａが生理用ナプキン１００における上記表面層１０１の外周縁に接合され且つその内周縁１０４ｂが上記周縁部１０５の内側縁における上記表面層１０１に接合されて、配されており、周縁部１０５の凸状形状を形成している。これにより、生理用ナプキンの中央部１０６が表面側に凹状形状を形成している。
【００３２】
そして、このように構成された本形態の生理用ナプキンにおいても上述した第１発明の生理用ナプキンと同じ効果を奏する。また、第２発明においても、生理用ナプキン以外に、失禁パッドや母乳パッドなどに適用することができる。
【００３３】
【発明の効果】
本発明の吸収性物品は、フィット性に優れ、液漏れ防止性に優れたものである。
【図面の簡単な説明】
【図１】図１は、本発明（第１発明）の吸収性物品の一形態としての生理用ナプキンを示す斜視図である。
【図２】図２は、図１のII-II 断面図である。
【図３】図３は、本形態の生理用ナプキンの製造法の概要を示す概略図である。
【図４】図４は、そのIV-IV 断面図である。
【図５】図５は、本発明の吸収性物品の他の形態としての生理用ナプキンを示す斜視図である。
【図６】図６は、本発明の吸収性物品の他の形態としての生理用ナプキンを示す断面図である（図２相当図）。
【図７】図７は、本発明の吸収性物品の他の形態としての生理用ナプキンを示す断面図である（図２相当図）。
【図８】図８は、本発明の吸収性物品の他の形態としての生理用ナプキンを示す断面図である（図２相当図）。
【図９】図９は、本発明の吸収性物品の他の形態としての生理用ナプキンを示す断面図である（図２相当図）。
【図１０】図１０は、本発明（第２発明）の吸収性物品の他の形態としての生理用ナプキンを示す断面図である（図２相当図）。
【符号の説明】
１    生理用ナプキン（吸収性物品）
２    表面層
３    防漏層
４    吸収層
５    周縁部
６    中央部
７    溝
８    空間
２１    液体透過性シート
２２    伸縮性シート
３１    防漏シート
４１    吸収体
５１    凸状形状
【図１】
0003838761.tif 000002
【図２】
0003838761.tif 000003
【図３】
0003838761.tif 000004
【図４】
0003838761.tif 000005
【図５】
0003838761.tif 000006
【図６】
0003838761.tif 000007
【図７】
0003838761.tif 000008
【図８】
0003838761.tif 000009
【図９】
0003838761.tif 000010
【図１０】
0003838761.tif 000011